(57)【要約】【課題】陰茎への装着する際の動作をスムーズにおこなえ、陰茎へ装着した際の感触を良好なものとした、コンドームを提供することを課題とする。【解決手段】陰茎の陰茎根を被装する筒部３と、筒部３の一端に接続され、陰茎の亀頭を被装する先端部２と、先端部２から内側に突出する凹部４と、凹部４内に配置される外側薬剤５と、先端部２の内側（または凹部４の内側）に配置される内側薬剤６と、を備える、コンドーム１とするものである。【選択図】図１
2013146352.tif 000002
【特許請求の範囲】
【請求項１】
陰茎の陰茎根を被装する筒部と、
前記筒部の一端に接続され、前記陰茎の亀頭を被装する先端部と、
前記先端部から内側に突出する凹部と、
前記凹部内に配置される外側薬剤と、
前記先端部の内側に配置される内側薬剤と、を備える、
コンドーム。
【請求項２】
前記内側薬剤は、前記先端部の内側と前記凹部の内側との間に配置される、請求項１に記載のコンドーム。
【請求項３】
請求項１または請求項２に記載のコンドームの製造方法において、
前記凹部内に前記外側薬剤を配置する工程と、
前記先端部の内側に前記内側薬剤を配置する工程と、を備える、
コンドームの製造方法。
【発明の詳細な説明】
【技術分野】
【０００１】
本発明は、コンドーム、および、コンドームの製造方法の技術に関する。
【背景技術】
【０００２】
従来、陰茎の亀頭を被装する先端部から内側に突出する凹部と、凹部内（コンドームの外側）に配置される薬剤と、を備える、コンドームの技術は公知となっている（特許文献１参照）。
このようなコンドームは、これを装着した際に凹部から薬剤を排出して、コンドームの窒内へ挿入する際の動作を円滑なものとしたり、避妊効果を得たりするものである。
【先行技術文献】
【特許文献】
【０００３】
【特許文献１】特開２００１−２３１８０５号公報
【発明の概要】
【発明が解決しようとする課題】
【０００４】
しかしながら、このようなコンドームでは、これを陰茎に装着する際に、コンドームの先端部の内側と陰茎とが直接接触しながら装着されていくため、当該陰茎への装着する際の動作をスムーズにおこなえない場合がある。また、このようなコンドームは、これを陰茎へ装着した際に、コンドームの内側と陰茎とが直接接触した状態にあるため、陰茎に挿着した際の感触（フィット感）が従来のものと変わるものではない。
【０００５】
本発明は以上の如き状況に鑑みてなされたものであり、陰茎への装着する際の動作をスムーズにおこなえ、陰茎へ装着した際の感触を良好なものとしたコンドームを提供することを課題とする。
【課題を解決するための手段】
【０００６】
本発明の解決しようとする課題は以上の如くであり、次にこの課題を解決するための手段を説明する。
【０００７】
即ち、請求項１においては、陰茎の陰茎根を被装する筒部と、前記筒部の一端に接続され、前記陰茎の亀頭を被装する先端部と、前記先端部から内側に突出する凹部と、前記凹部内に配置される外側薬剤と、前記先端部の内側に配置される内側薬剤と、を備える、コンドームとしたものである。
【０００８】
請求項２においては、前記内側薬剤は、前記先端部の内側と前記凹部の内側との間に配置される、ものである。
【０００９】
請求項３においては、請求項１または請求項２に記載のコンドームの製造方法において、前記凹部内に前記外側薬剤を配置する工程と、前記先端部の内側に前記内側薬剤を配置する工程と、を備える、コンドームの製造方法としたものである。
【発明の効果】
【００１０】
本発明の効果として、以下に示すような効果を奏する。
即ち、本発明によれば、陰茎への装着する際の動作をスムーズにおこなえ、陰茎へ装着した際の感触を良好なものとすることができる。
【図面の簡単な説明】
【００１１】
【図１】（ａ）は本発明の実施形態に係るコンドームを示した正面図、（ｂ）は同じく正面断面図。
【図２】（ａ）は同じく装着前の正面断面図、（ｂ）は同じく他の実施形態の正面断面図。
【図３】同じく拡大正面断面図。
【図４】本発明の実施形態に係るコンドームの製造方法を示したフロー図。
【図５】本発明の実施形態に係る成形された直後のコンドームの凹部を内側に突出させる状態を示した拡大正面図。
【図６】本発明の実施形態に係るコンドームの凹部に外側薬剤を配置する状態を示した拡大正面断面図。
【図７】本発明の実施形態に係るコンドームの内側に内側薬剤６を配置する状態を示した正面図。
【図８】本発明の実施形態に係るコンドームの製造方法を示したフロー図。
【図９】同じくフローズ図。
【発明を実施するための形態】
【００１２】
次に、図１から図３を用いて、本発明の実施形態に係るコンドーム１について説明する。
【００１３】
図１または図２に示すように、コンドーム１は、先端部２と、筒部３と、を備える。コンドーム１は、筒部３の一端に先端部２が接続されて構成される。
コンドーム１は、その先端部２が陰茎の亀頭を被装し、その筒部３が陰茎の陰茎根を被装するようにして、使用される。
【００１４】
また、コンドーム１は、凹部４と、外側薬剤５と、内側薬剤６と、を備える。
コンドーム１の凹部４は、先端部２に配置される。
コンドーム１の凹部４は、先端部２から内側に凹状に突出した構成になっている。
コンドーム１の凹部４は、筒体の一端を半球状の底により閉じるとともに、当該筒体の他端の開口部を先端部２に接続するようにして、構成される。
コンドーム１は、これを先端部２が手前で筒部３が奥側となるように見た場合（平面視した場合）において、先端部２の略中央にその凹部４が位置するように、構成されている。
コンドーム１の凹部４は、外側薬剤５を配置可能に構成される。
【００１５】
コンドーム１の外側薬剤５とは、潤滑剤や殺精子剤や殺菌剤等の薬剤を示す。
コンドーム１の外側薬剤５は、コンドーム１の外側であって、その凹部４内（凹部４の筒内）に配置される。
【００１６】
コンドーム１の内側薬剤６とは、潤滑剤や殺精子剤や殺菌剤等の薬剤を示す。
コンドーム１の内側薬剤６は、コンドーム１の内側であって、その先端部２の内側（または凹部４の内側）に配置される。
コンドーム１の内側薬剤６は、コンドーム１の内側において、その先端部２の内側（先端部２の内側の面）と凹部４の内側（凹部４の内側の面）との間の隙間を埋めるように配置されてもよく（図２（ａ）参照）、その先端部２の内側の面または凹部４の内側の面に間欠的に配置されてもよい（図２（ｂ）参照）。
コンドーム１の内側薬剤６は、先端部２の内側全体に配置されるものに限定せず、先端部２の内側の一部に配置されていてもよい。
【００１７】
コンドーム１は、陰茎への装着前では、図２に示すように、その筒部３の開口部が巻上げられた状態になっている。
係る状態のコンドーム１の先端部２の内側に陰茎の亀頭の先端を当接させ、コンドーム１の先端部２により陰茎亀頭を被装していく。この際、コンドーム１の先端部２の内側に配置された内側薬剤６が陰茎の亀頭に塗布されながら、その先端部２により陰茎亀頭が被装されていく。
そして、前記巻上げられた筒部３を陰茎の陰茎根側に引き寄せながら、コンドーム１の筒部３により陰茎の陰茎根を被装する。
上記のコンドーム１を陰茎に装着する過程において、コンドーム１の凹部４が陰茎の亀頭に当接されて外側に押出されていく。そして、前記コンドーム１の凹部４が外側に押出されることよって、凹部４内に配置された外側薬剤５が押し出されて凹部４内から外側薬剤５が排出される。
また、コンドーム１では、これが陰茎に装着された状態で射精した際に、その精子が凹部４の内側に流れ込んで、当該凹部４が外側に突出可能に構成される。つまり、コンドーム１では、その凹部４は精液溜として機能するように構成される。
【００１８】
コンドーム１の外側薬剤５が潤滑剤である場合には、前記凹部４から排出されてその先端（先端部の外側）に潤滑剤（外側薬剤５）が配置されるコンドーム１を膣に挿入していくので、当該挿入していく際に潤滑剤（外側薬剤５）を膣口および膣内に塗布することができる。これにより、コンドーム１を装着した陰茎を膣内に円滑に挿入することができ、膣内をいためることを抑制することができる。
コンドーム１の外側薬剤５が殺精子剤や殺菌剤等である場合には、前記凹部４から排出してその先端に殺精子剤や殺菌剤（外側薬剤５）が配置されるコンドーム１を膣に挿入していくので、当該挿入していく際に殺精子剤や殺菌剤（外側薬剤５）を膣口および膣内に塗布することができる。これにより、コンドーム１を装着した陰茎を膣内にスムーズに挿入することができるとともに、避妊効果や殺菌効果も得ることができる。
【００１９】
コンドーム１の内側薬剤６が潤滑剤である場合には、コンドーム１の先端部２の内側に配置された内側薬剤６を陰茎の亀頭に塗布するようにしながらコンドーム１の装着をおこなうため、当該コンドーム１の装着をスムーズに行うことができる。また、内側薬剤６が陰茎の亀頭に塗布されるため、これを装着した際の感触（フィット感）を良好なものとすることができる。さらに、コンドーム１における先端部２の内側の面と凹部４の内側の面との間に内側薬剤６が配置される場合には、先端部２の内側の面と凹部４の内側の面との間の摩擦が軽減されるため、凹部４における精液溜として外側に突出していく動作がスムーズとなる。
コンドーム１の内側薬剤６が殺精子剤である場合には、コンドーム１の先端部２の内側に内側薬剤６が配置されるため、陰茎の先端より射出される精子に、内側薬剤６（殺精子剤）が接触しやすく、当該精子の死滅率が向上し、避妊効果を得ることができる。
コンドーム１の内側薬剤６が殺菌剤である場合には、コンドーム１の先端部２の内側に内側薬剤６が配置されるため、コンドーム１内において内側薬剤６（殺菌剤）を陰茎に接触させて、陰茎の表面の殺菌処理することができる。
【００２０】
コンドーム１の外側薬剤５の性状としては、コンドーム１の凹部４に配置可能であればよい。
コンドーム１の外側薬剤５は、ペースト状、ゲル状、ゼリー状等の粘度を有する粘液で構成されてもよい。
この際のコンドーム１の外側薬剤５は、その凹部４の外側の面同士を粘着させて当該凹部４の開口部を閉じることができるような粘度、を有する粘液で構成されてもよい。このような粘液でコンドーム１の外側薬剤５が構成されることにより、コンドーム１の装着前において、その凹部４から外側薬剤５が流出することを抑制することができる。
【００２１】
コンドーム１の外側薬剤５に、バルトリン腺からの粘液の分泌量を増大させて膣内の潤滑度合いを向上させることができるようなものや、これを含有するようなもの、を用いてもよい。
コンドーム１の外側薬剤５における前記バルトリン腺からの粘液の分泌量を増大させて膣内の潤滑度合いを向上させることができるようなものとしては、バルトリン腺を刺激するもの、外陰部の血行を促進させるもの、女性の性感を向上させるもの等、がある。
【００２２】
コンドーム１の内側薬剤６の性状としては、コンドーム１の先端部２または凹部４に配置可能であればよい。
コンドーム１の内側薬剤６は、ペースト状、ゲル状、ゼリー状等の粘度を有する粘液で構成されてもよい。
この際のコンドーム１の内側薬剤６は、その先端部２の内側の面と凹部４の内側の面とを粘着させることができるような粘度、を有する粘液で構成されてもよい。このような粘液でコンドーム１の内側薬剤６が構成されることにより、コンドーム１の先端部２の内側の面と凹部４の内側の面との間に配置された内側薬剤６が、これらを粘着させるようにするため、コンドーム１を装着する際に、コンドーム１の先端部２の内側と凹部４の内側との間に空気が入り込むことを防止することができる。
【００２３】
コンドーム１では、その外側薬剤５および内側薬剤６が潤滑剤とした場合に使用する油は、使用される状況に応じて、シリコーンオイル、ポリブテン、α−オレフィン、ポリアルキレングリコール、ジエステル、ポリオールエステル、流動パラフィン、パラフィンワックス、脂肪酸、高級アルコール、ツバキ油、ナタネ油、ゴマ油、サフラワー油、綿実油、ヒマシ油、大豆油、ヤシ油、パーム油、ミツロウ、モンタンロウ、ラノリン、スクワラン、合成エステル、イクタモール、イソプロピルメチルフェノール、クロロブタノール、酢酸‐ｄｌ‐α‐トコフェノール、酢酸ポリオキシエチレンラノリンアルコール、酢酸ラノリン、酢酸ラノリンアルコール、サリチル酸フェニル、ステアリルアルコール、セタノール、セラック、トラガント、トリエタノールアミン、パラオキシ安息香酸エステル、プロピレングリコール、ベンジルアルコール、ポリエチレングリコール、ポリオキシエチレンラウリルエーテル硫酸塩類、ポリオキシエチレンラノリン、ポリオキシエチレンラノリンアルコール、ミリスチン酸イソプロピル、液状ラノリン、還元ラノリン、硬化ラノリン、ラノリンアルコール、水素添加ラノリンアルコール、ラノリン脂肪酸イソプロピル、ラノリン脂肪酸ポリエチレングリコール、ポリエトキシレート化ヒマシ油、ポリエトキシレート化硬化ヒマシ油、ミネラルオイル、ポリアルキレングリコール誘導体、のうちいずれか一種または二種以上のものを用いることができる。またこれにロジンを添加することにより、コンドーム１の潤滑剤としての外側薬剤５および内側薬剤６の粘度調節を行うことも可能である。
【００２４】
コンドーム１の外側薬剤５を、油に水および界面活性剤を配合して乳化させたものとして粘性を少なくすることにより、膣内への挿入感を良好なものとすることができる。コンドーム１の内側薬剤６を、油に水および界面活性剤を配合して乳化させたものとして粘性を少なくすることにより、コンドーム１の装着をよりスムーズに行うことができ、また、これを装着した際のフィット感をより良好なものとすることができる。
また、このようなコンドーム１の外側薬剤５または内側薬剤６では、油中に形成されたミセル内に水分を保っているため、水に溶ける速度が速く、水によって容易に洗い流すことができる。さらに、このようなコンドーム１の外側薬剤５および内側薬剤６では、これに接触した際に、当該接触面のすべてが油で覆われるわけではなく、その一部に水分が付着するため、これに接触した際の違和感がなく、べたつきを抑えることができる。
【００２５】
コンドーム１の外側薬剤５および内側薬剤６の界面活性剤としては、メンフェゴール、ノノキシノール、アルキルベンゼンスルホン酸塩、ポリオキシアルキレンアルキル硫酸エステル、アルキル硫酸エステル、アルカンスルホン酸塩、アルキルエトキシカルボン酸塩、コハク酸誘導体、アルキルアミンオキサイド、イミダゾリン型化合物、ポリオキシエチレンアルキルまたはアルキニルエーテル、ポリオキシエチレンアルキルフェニルエーテル、高級脂肪酸アルカノールアミドまたはそのアルキレンオキサイド付加物、セチル硫酸ナトリウム、ウンデシレン酸（ウンデシレン酸塩）、ウンデシレン酸モノエタノールアミド、塩化アルキルトリメチルアンモニウム、塩化ジステアリルジメチルベンジルアンモニウム、塩化ステアリルジメチルベンジルアンモニウム、塩化ステアリルトリメチルアンモニウム、塩化セチルトリメチルアンモニウム、塩化セチルピリジニウム、塩化ベンザルコニウム、塩化ベンゼトニウム、塩化ラウリルトリメチルアンモニウム、塩酸アルキルジアミノエチルグリシン、塩酸クロルヘキシジン、オルトフェニルフェノール、グルコン酸クロルヘキシジン、クレゾール、クロラミンＴ、クロルキシレノール、クロルクレゾール、クロルフェネシン、サリチル酸（サリチル酸塩）、臭化アルキルイソキノリニウム、臭化セチルトリメチルアンモニウム、臭化ドミフェン、チモール、チラム、デヒドロ酢酸（デヒドロ酢酸塩）、トリクロサン、トリクロロカルバニリド、パラクロロフェノール、ハロカルバン、フェノール、ラウロイルサルコシンナトリウム、レゾルシン、ドデカエチレングリコールモノラウレート、ラウレス、メトキシプロピルオキシエチレングリコールラウレートのうち、いずれか一種または二種以上のものを用いることができる。
コンドーム１の外側薬剤５および内側薬剤６の界面活性剤は、乳化剤として用いられるので、これに用いられる油に応じて選択されるものである。また、コンドーム１の外側薬剤５および内側薬剤６の界面活性剤の含有量を調節することにより、外側薬剤５および内側薬剤６の湿潤浸透性を向上することも可能である。
【００２６】
コンドーム１の外側薬剤５または内側薬剤６にメンフェゴールやノノキシノールを含有させることにより、これを殺精子剤とすることができる。
コンドーム１の外側薬剤５または内側薬剤６に、カテキン、セチル硫酸ナトリウム、ウンデシレン酸（ウンデシレン酸塩）、ウンデシレン酸モノエタノールアミド、塩化アルキルトリメチルアンモニウム、塩化ジステアリルジメチルベンジルアンモニウム、塩化ステアリルジメチルベンジルアンモニウム、塩化ステアリルトリメチルアンモニウム、塩化セチルトリメチルアンモニウム、塩化セチルピリジニウム、塩化ベンザルコニウム、塩化ベンゼトニウム、塩化ラウリルトリメチルアンモニウム、塩酸アルキルジアミノエチルグリシン、塩酸クロルヘキシジン、オルトフェニルフェノール、グルコン酸クロルヘキシジン、クレゾール、クロラミンＴ、クロルキシレノール、クロルクレゾール、クロルフェネシン、サリチル酸（サリチル酸塩）、臭化アルキルイソキノリニウム、臭化セチルトリメチルアンモニウム、臭化ドミフェン、チモール、チラム、デヒドロ酢酸（デヒドロ酢酸塩）、トリクロサン、トリクロロカルバニリド、パラクロロフェノール、ハロカルバン、フェノール、ラウロイルサルコシンナトリウム、レゾルシン、ドデカエチレングリコールモノラウレート、ラウレス、メトキシプロピルオキシエチレングリコールラウレートの内の一種もしくは二種以上のものを含有させることにより、外側薬剤５または内側薬剤６を殺精子剤や殺菌剤等とすることができる。
【００２７】
コンドーム１は、図３に示すように、コンドーム１の内側面または外側面（筒部３の内側面または外側面、および、先端部２の外側薬剤５または内側薬剤６が配置されていない部分）をシリコーンオイル等の油成分からなる被膜７によってコーティングした構成としてもよい。このようにコンドーム１を構成することにより、コンドーム１の酸化および粘着を防止し、また、巻上げられたコンドーム１の筒部３の巻戻し作業を容易におこなうことができる。
【００２８】
次に、図４から図９を用いて、コンドーム１の製造方法における一連の動作について、説明する。
【００２９】
図４に示すように、コンドームを成形する工程（ステップＳ１）をおこなう。
コンドーム１は、例えば、浸漬、コンプレッション成形、または、ブロー成形等の方法によって成形される。即ち、従来における液溜め部を有すコンドームの成形と同様に、コンドーム１を成形する。
成形のための型から成形後のコンドーム１を離型させる際に、コンドーム１の開口（筒部３の開口部）は巻上げられる（図２参照）。
【００３０】
次に、前記ステップＳ１において成形されたコンドーム１の凹部４を、コンドーム１の内側に突出させる工程（ステップＳ２）をおこなう。
ここで、前記成形された直後のコンドーム１は、その凹部４がコンドーム１の外側に突出した状態となっている（図５参照）。つまり、前記成形された直後のコンドーム１は、その凹部４３の内側面が外側に向いた状態となっている。即ち、前記成形された直後のコンドーム１は、凹部４３が裏返った状態となっている。
そして、前記成形された直後のコンドーム１では、所定の方法によって、コンドーム１の外側に突出した凹部４がその内側に突出するように当該内側に返される（図５参照）。こうしてコンドーム１は、その凹部４が内側に突出した構成となる。
【００３１】
なお、コンドーム１の凹部４を内側に突出させる前記所定の方法としては、圧縮空気の噴射によりおこなう方法や、外側薬剤５の噴射によりおこなう方法や、棒状部材を用いる方法や、吸引することによりおこなう方法、等がある。
前記圧縮空気の噴射によりおこなう方法は、外側に突出したコンドーム１の凹部４に圧縮空気を噴射して、当該凹部４をコンドーム１の内側に突出させるものである。
前記外側薬剤５の噴射によりおこなう方法は、外側に突出したコンドーム１の凹部４に外側薬剤５を噴射して、その慣性力により当該凹部４をコンドーム１の内側に突出させると同時に、当該凹部４内（凹部４の外側）に外側薬剤５を配置するものである。
前記棒状部材を用いる方法は、外側に突出したコンドーム１の凹部４に、棒状の部材である棒状部材を当接させてこれをコンドーム１内側に押し込んで、当該内側に凹部４を突出させるものである。
前記吸引することによりおこなう方法は、コンドーム１内に吸引装置を挿入し、外側に突出したコンドーム１の凹部４を、コンドーム１の内側に吸引して当該内側に突出させるものである。
【００３２】
次に、前記ステップＳ２においてコンドーム１の内側に突出させた凹部４内に外側薬剤５を配置する工程（ステップＳ３）をおこなう。
この際、例えば、図６に示すように、コンドーム１の巻上げられていない部分の外側の面を上方に、その内側の面を下方に向けて、当該コンドーム１の上方からその凹部４（コンドーム１の外側）に向かって、噴射装置１０から外側薬剤５を噴射する。このようにして、コンドーム１の凹部４内（コンドーム１の外側）に外側薬剤５を配置する（コンドーム１における凹部４の外側の面に外側薬剤５を設ける）。なお、噴射装置１０は、外側薬剤５を噴射して供給するためのものである。
【００３３】
次に、前記ステップＳ３において凹部４内に外側薬剤５を配置したコンドームの先端部２の内側（または凹部４の内側に）内側薬剤６を配置する工程（ステップＳ４）をおこなう。
この際、例えば、図７に示すように、まず、内側薬剤６をテーブル１１上に配置する。そして、前記テーブル１１上の内側薬剤６に向かって、前記コンドーム１の巻上げられていない部分の外側の面を上方に、その内側の面を下方に向くようにして、当該コンドーム１を落下させる。このように、テーブル１１上の内側薬剤６に向かってコンドーム１を落下させると、前記コンドーム１の巻上げられていない部分（先端部２の内側の一部や、凹部４の内側の一部）に内側薬剤６が付着する。
このようにして、コンドーム１の先端部２の内側（または凹部４の内側）に内側薬剤６を配置する。
また、前記コンドーム１の巻上げられていない部分に付着した内側薬剤６のうち、毛細管現象によって、凹部４の内側の面と先端部２の内側の面との間に浸入していくものがある。
このようにして、コンドーム１の先端部２の内側の面および凹部４の内側の面に、内側薬剤６が配置される。
【００３４】
このように、コンドーム１の製造方法によれば、既存の設備を流用して、筒部と、先端部２と、先端部２から内側に突出する凹部４と、凹部４内に配置される外側薬剤５と、先端部２の内側に配置される内側薬剤６と、を備えるものを、簡易な方法で製造することができる。
【００３５】
なお、前記ステップＳ４におけるコンドーム１を落下させて内側薬剤６を配置する際において、その凹部４内に外側薬剤５が配置されるため、前記落下するその落下姿勢がより安定することとなる。
【００３６】
また、図８に示すように、ステップＳ４においてコンドーム１の先端部２の内側および凹部４の内側に内側薬剤６を配置した後に、コンドーム１の内側面または外側面に被膜７を配置する工程（Ｓ５）をおこなってもよい。前記被膜７とは、シリコーンオイル等の油成分からなるものである。
コンドーム１の内側面または外側面への被膜７の配置は、例えば、コンドーム１の巻上げられていない部分の外側の面に、シリコーンオイルで構成される被膜７を塗布する（図３参照）。このようにシリコーンオイルで構成される被膜７を塗布することにより、毛細管現象により、コンドーム１における筒部３の巻上げられた部分に浸入していく。このように、コンドーム１に塗布され、または、巻上げられた部分に浸入したシリコーンオイルで構成される被膜７が、前記コンドーム１の内側面または外側面に配置される。
【００３７】
また、図９に示すように、前記ステップＳ２においてコンドーム１の凹部４を内側に突出させた後に、コンドーム１の先端部２の内側および凹部４の内側に内側薬剤６を配置する工程（ステップＳ１４）をおこない、その後、凹部４内に外側薬剤５を配置する工程（ステップＳ１３）をおこなってもよい。
【００３８】
コンドーム１の先端部２の内側および凹部４の内側に内側薬剤６を配置する工程（ステップＳ１４）では、例えば、コンドーム１の巻上げられていない部分の外側の面を下方に、その内側の面を上方に向けて、当該コンドーム１の上方からその凹部４（コンドーム１の内側）に向かって、内外側薬剤５を噴射する。このようにして、コンドーム１の先端部２の内側および凹部４の内側に内側薬剤６を配置する。
【００３９】
コンドーム１の凹部４内に外側薬剤５を配置する工程（ステップＳ１３）では、例えばまず、外側薬剤５をテーブル１１上に配置する。そして、前記テーブル１１上の外側薬剤５に向かって、前記コンドーム１の巻上げられていない部分の外側の面を下方に、その内側の面を上方に向くようにして、当該コンドーム１を落下させる。このように、テーブル１１上の外側薬剤５に向かってコンドーム１を落下させると、前記コンドーム１の巻上げられていない部分（先端部２の外側の一部）や、凹部４の開口部等に外側薬剤５が付着する。そして、前記コンドーム１の巻上げられていない部分や凹部４の開口部に付着した外側薬剤５は、毛細管現象によって、当該凹部４内に浸入していくこととなる。
このようにして、コンドーム１の凹部４内に外側薬剤５を配置する。
【００４０】
なお、外側に突出するコンドーム１の凹部４に、圧縮空気とともに外側薬剤５または内側薬剤６を射出して、凹部４をコンドーム１の内側に突出させてもよい。即ち、コンドーム１の内側に突出させる工程（ステップＳ２）と、凹部４内に外側薬剤５を配置する工程（ステップＳ３）またはコンドーム１の先端部２の内側（または凹部４の内側）に内側薬剤６を配置する工程（ステップＳ１４）と、を同時におこなってもよい。
【００４１】
また、前記棒状部材を用いる方法において、棒状部材をその先端から外側薬剤５または内側薬剤６を供給可能に構成してもよい。そして当該棒状部材により外側に突出した凹部４をコンドーム１内側に押込んだ際に、当該棒状部材の先端から外側薬剤５または内側薬剤６を供給して、コンドーム１の内側に突出させる工程（ステップＳ２）と、凹部４内に外側薬剤５を配置する工程（ステップＳ３）またはコンドーム１の先端部２の内側（または凹部４の内側）に内側薬剤６を配置する工程（ステップＳ１４）と、を同時におこなってもよい。
【符号の説明】
【００４２】
１  コンドーム
２  先端部
３  筒部
４  凹部
５  外側薬剤
６  内側薬剤
【図１】
2013146352.tif 000003
【図２】
2013146352.tif 000004
【図３】
2013146352.tif 000005
【図４】
2013146352.tif 000006
【図５】
2013146352.tif 000007
【図６】
2013146352.tif 000008
【図７】
2013146352.tif 000009
【図８】
2013146352.tif 000010
【図９】
2013146352.tif 000011